(57)【要約】【目的】水槽内に設置され、水槽内の水を水中ポンプにより循環濾過するようにした、内部式濾過装置であって、濾過ケースにより観賞魚を傷付けることがなく、その濾過ケースに対する送水管の相対位置を変更できるようにして、その送水管を水槽内の邪魔にならない位置に配置できると共に外観上の見栄えを良くした。【構成】内部式濾過装置において、濾過ケースｃの上面を平坦に形成し、その濾過ケースｃ内に収容される水中ポンプＰの吐出口３３に、送水管４０を着脱可能に接続し、その送水管４０は濾過ケースｃに対して自在に回転可能で、かつ上下に伸縮可能であり、その上部に多数の噴口４７を開口したシャワー管４６を有する。【選択図】      図２
2004230207.tif 000002
【特許請求の範囲】
【請求項１】
ケース本体（１）と、その下面に着脱可能に積層される底ケース（２）とを備え、前記ケース本体（１）内には、その内部の上部濾過室（Ｆｕ）を上流室（２９）と、下流室（３０）とに区画する密な濾材（２６）を収容し、前記上流室（２９）内は、前記ケース本体（１）に開口した第１の吸水口（５）に連通し、前記下流室（３０）内には水中ポンプ（Ｐ）を収容し、一方前記底ケース（２）の下部濾過室（Ｆｄ）内に粗な濾材兼重錘として機能する小石（７）を収容し、その上壁には前記下流室（３０）に連通する小孔（２０）を、またその底壁には第２の吸水口（９）をそれぞれ開口し、前記水中ポンプ（Ｐ）の運転により前記密な濾材（２６）を通過した第１の流れの水と、前記小石（７）を通過した第２の流れの水を前記下流室（３０）に合流させて吸引し、その吐出口（３３）より吐出させるようにした、内部式濾過装置において、
前記ケース本体（１）の上面を平坦に形成し、前記水中ポンプ（Ｐ）の吐出口（３３）には、送水管（４０）を着脱可能に接続し、該送水管（４０）は、ケース本体（１）に対して自在に回転可能で、かつ上下に伸縮可能であり、その上部に多数の噴口（４７）を開口したシャワー管（４６）を有していることを特徴とする、内部式濾過装置。
【請求項２】
ケース本体（１）と、その下面に着脱可能に積層される第１の底ケース（２（１））とを備え、前記ケース本体（１）内には、その内部の上部濾過室（Ｆｕ）を上流室（２９）と、下流室（３０）とに区画する密な濾材（２６）を収容し、前記上流室（２９）内は、前記ケース本体（１）に開口した第１の吸水口（５）に連通し、前記下流室（３０）内には水中ポンプ（Ｐ）を収容し、一方前記第１の底ケース（２（１））の下部濾過室（Ｆｄ）内に、粗な濾材兼重錘として機能する小石（７）を収容し、その上壁には前記下流室（３０）に連通する小孔（２０）を、またその底壁には第２の吸水口（９）をそれぞれ開口し、前記水中ポンプ（Ｐ）の運転により前記密な濾材（２６）を通過した第１の流れの水と、前記小石（７）を通過した第２の流れの水を前記下流室（３０）に合流させて吸引し、その吐出口（３３）より吐出させるようにした、内部式濾過装置において、
前記第１の底ケース（２（１））には、少なくとも第２の底ケース（２（２））を積層して着脱可能に結合し、該第２の底ケース（２（１））内には、水の浄化要素（５３）を収容し、前記第２の流れの水は、粗な濾材である小石（７）を通過する外、前記水の浄化要素（５３）をも通過して水中ポンプ（Ｐ）により下流室（３０）に吸引されるようにしたことを特徴とする、内部式濾過装置。
【発明の詳細な説明】
【０００１】
【発明の属する技術分野】
本発明は、金魚、熱帯魚、海水魚等の飼育用水槽内に設置される濾過ケースを備え、水槽内の水を水中ポンプにより循環濾過するようにした、内部式濾過装置に関するものである。
【０００２】
【従来の技術】
従来、水槽内で金魚、熱帯魚、海水魚等の観賞魚を飼育、育成するために、水槽内の水を濾過して浄化する濾過装置として、水槽内に濾過ケースを設置し、その濾過ケース内に形成される濾過室内に濾材を収容し、該濾材の外側に吸水口に連通口する上流室を、また該濾材に内側に吐出口に連通する下流室をそれぞれ形成し、下流室に水槽の外に設けたエアポンプからのエアを送気することにより、水槽内の水を上流室から濾材を通過させて濾過した後、下流室を通して水槽内に戻すようにした内部式濾過装置は公知である（たとえば、非特許文献１参照）。
【０００３】
【特許文献１】
特開平９−３８６３７号公報。
【０００４】
【発明が解決しようとする課題】
ところで、このような内部式濾過装置では、水槽内の濾過ケースの上面に、エアと共に濾過した水を噴出するための、噴出口を開口した噴出管が上方に向けて突出されているため、この噴出管、特にその噴出口のエッジに、水槽内の魚が接触して魚体を傷付けることがあり、またその噴出口は、濾過ケースの中央部から上方に突出することから、これが濾過装置全体の景観を損なうなどの問題があり、さらに、濾過装置を梱包する際の梱包箱が大きくなり、輸送コストが嵩むなどの問題がある。
【０００５】
本発明は、かかる事情に鑑みてなされたものであり、前記問題を解決し、また、水の浄化機能を一層高めるようにした、新規な内部式濾過装置を提供することを目的とするものである。
【０００６】
【課題を解決するための手段】
前記目的達成のため、請求項１記載の発明は、ケース本体と、その下面に着脱可能に積層される底ケースとを備え、前記ケース本体内には、その内部の上部濾過室を上流室と、下流室とに区画する密な濾材を収容し、前記上流室内は、前記ケース本体に開口した第１の吸水口に連通し、前記下流室内には水中ポンプを収容し、一方前記底ケースの下部濾過室内に、粗な濾材兼重錘として機能する小石を収容し、その上壁には前記下流室に連通する小孔を、またその底壁には第２の吸水口をそれぞれ開口し、前記水中ポンプの運転により前記密な濾材を通過した第１の流れの水と、前記小石を通過した第２の流れの水を前記下流室に合流させて吸引し、その吐出口より吐出させるようにした、内部式濾過装置において、前記ケース本体の上面を平坦に形成し、前記水中ポンプの吐出口には、送水管を着脱可能に接続し、該送水管は、ケース本体に対して自在に回転可能で、かつ上下に伸縮可能であり、その上部に多数の噴口を開口したシャワー管を有していることを特徴としており、かかる特徴によれば、ケース本体の上面には、従来のような水の噴出管が突出することがないので、該噴出管により観賞魚を傷付けることがないばかりでなく濾過ケース全体の見栄えを良くすることができ、さらに濾過ケースを収容する梱包箱の容積を小さくすることができて、その輸送コストの低減を図ることができる。また、送水管は、濾過ケースに対する配置の自由度を高めることができ、水槽に対する濾過装置全体のレイアウトがし易くなる。
【０００７】
また、前記目的達成のため、請求項２記載の発明は、ケース本体と、その下面に着脱可能に積層される第１の底ケースとを備え、前記ケース本体内には、その内部の上部濾過室を上流室と、下流室とに区画する密な濾材を収容し、前記上流室内は、前記ケース本体に開口した第１の吸水口に連通し、前記下流室内には水中ポンプを収容し、一方前記第１の底ケースの下部濾過室内に、粗な濾材兼重錘として機能する小石を収容し、その上壁には前記下流室に連通する小孔を、またその底壁には第２の吸水口をそれぞれ開口し、前記水中ポンプの運転により前記密な濾材を通過した第１の流れの水と、前記小石を通過した第２の流れの水を前記下流室に合流させて吸引し、その吐出口より吐出させるようにした、内部式濾過装置において、前記第１の底ケースには、少なくとも第２の底ケースを積層して着脱可能に結合し、該第２の底ケース内には、水の浄化要素を収容し、前記第２の流れの水は、粗な濾材である小石を通過する外、前記水の浄化要素をも通過して水中ポンプにより下流室に吸引されるようにしたことを特徴としており、かかる特徴によれば、水槽内の水の浄化機能を一層高めることができ、特に飼育、育成する観賞魚や水草の種類などに応じてそれらに最適な水質の水作りが容易になる。
【０００８】
【発明の実施の形態】
以下、本発明の実施の形態を、添付図面に示した本発明の実施例に基づいて説明する。
【０００９】
図１〜５を参照して、本発明の第１実施例について説明する。
【００１０】
図１は、内部式濾過装置を水槽にセットした場合の斜視図、図２は、濾過装置の一部縦断（図３の２−２線に沿う）の全体側面図、図３は、図２の３−３線に沿う断面図、図４は、図２の４線矢視図、図５は、濾過装置の分解斜視図である。
【００１１】
水槽Ｖ内に設けられる濾過ケースｃは、合成樹脂製のケース本体１と、そのケース本体１の下面に着脱可能に連結される、同じく合成樹脂製の底ケース２とより構成される。
【００１２】
前記ケース本体１は、透明もしくは半透明の硬質合成樹脂材により成形されて平面八角筒形状に形成され、その下面は全面にわたり開放されている。図１，５に示すように、ケース本体１の上壁の上面は、平坦面に形成されていてその中央部には、後述する水中ポンプＰを出入れするための円形の出入口４が開口されると共にその周囲に多数の第１の吸水口、すなわち上部吸水口５が穿設されている。また、ケース本体１の対向部下縁には、対をなす差込舌片６が形成される。
【００１３】
一方、前記底ケース２は、前記ケース本体１と同一材料によりそれと平面形状が同じで、上下方向に偏平に形成される底ケース本体２Ａの開口上面に、蓋板２Ｂを着脱可能に嵌着して構成され、この底ケース２内には、大磯などの小石７が装填されており、この小石７は、後に述べるように、この濾過装置の粗な濾材および重錘として機能する。
【００１４】
図４に明瞭に示すように、底ケース２の底面には、その全面にわたり多数の第２の吸水口すなわち下部吸水口９が開口され、また、底ケース２の上面すなわち蓋板２Ｂには、多数の通水口１０が穿設され、これらの通水口１０を通して底ケース２内は、前記ケース本体１内に連通される。また、底ケース２の、底ケース本体２Ｂの対向側面には、対をなす差込孔１１が一体に形成され、これらの差込孔１１に前記差込舌片６を差込係合することにより、図１、２に示すように、底ケース２上に前記ケース本体１が着脱自在に組付けられ、前記濾過ケースが形成される。
【００１５】
ケース本体１と底ケース２とにより上部濾過室Ｆｕが形成され、この上部濾過室Ｆｕ内に濾過保持枠１４が収容される。この濾過保持枠１４は、中央部に排水口１５が開口されて外周縁が波状に形成される天板１６と、八角状の底板１７とを複数本の連結棒１８により一体に連結して構成されており、その底板１７の中央部には、連通口１９が開口されると共にその周囲に多数の小孔２０が穿設され、連通口１９および複数の小孔２０は、前記通水口１０に連通される。天板１６の下面には、その周方向に等間隔を存して、下方に延びる複数の上部係止突起２４が一体に突設され、また前記底板１７の上面にも前記上部係止突起２４に対応する下部係止突起２３が周方向に等間隔を存して上方に一体に突設されている。
【００１６】
前記濾材保持枠１４には、板状に形成される密な濾材２６が交換可能に保持される。図３〜５に示すように、前記板状の密な濾材２６は、その内周面を前記連結棒１８に、また、その外周面を前記上、下部係止突起２４，２３に交互にジグザグ状に係止させることにより、コルゲート状に屈曲され、その両端縁を相互に衝合させることにより、筒状をなして濾材保持枠１４に保持される。
【００１７】
八角状の底ケース２の蓋板２Ｂの角コーナには、それぞれ嵌込孔２７が開口され、これらの嵌込孔２７に前記濾材保持枠１４の複数の連結棒１８の下端を抜差自在に差し込むことにより、底ケース２上の所定位置に、濾材保持枠１４を保持させることができる。
【００１８】
底ケース２上の所定位置に、濾材２６を組み付けた濾材保持枠１４を保持させた後、ケース本体１を、その開口底面より濾材保持枠１４上に被せて、その差込舌片６を差込孔１１に差込係止すれば、内部に濾材保持枠１４を収容した濾過ケースｃを組付けることができ、ケース本体１内に上部濾過室Ｆｕが、また底ケース２内に下部濾過室Ｆｄがそれぞれ形成される。そして上部濾過室Ｆｕ内は、前記濾材２９によりその外側の上流室すなわち未浄化室２９と、その内側の下流室すなわち浄化室３０とに区画され、前記上流室２９は第１の吸水口５を通して外部に連通され、また下流室３０は、後述する水中ポンプＰの吸水側に連通されると共に小孔２０を通して下部濾過室Ｆｄに連通される。
【００１９】
濾過ケースｃ内において、前記密な濾材２６により囲まれる下流室２９内には、ケース本体１の上面に開口した出入口４を通して水中ポンプＰが装入される。
【００２０】
図２，５に明瞭に示すように、水中ポンプＰは円筒状に形成されており、その下面に吸込口３２（図２）が開口され、またその上面に吐出口３３が開口されており、その下端外周面には、多数のスリット３４を開口したキャップ状のストレーナ３５が吸込口３２を囲むように嵌着されている。水中ポンプＰが、濾過ケースｃ内にセットされた状態では、該水中ポンプＰの上面は、ケース本体１の上面と略面一であり、それらの間に段差ができないように偏平になっている。また、水中ポンプＰの上面から該ポンプＰのモータに接続されるリード線３６が延長されている。なお、このリード線３６を把持することにより、水中ポンプＰの濾過ケースｃ内への出入れを行なう。
【００２１】
図２に示すように、水中ポンプＰの吐出口３３には、濾過後の清浄な水を水槽Ｖ内に還流させるための送水管４０が着脱可能に接続されている。この送水管４０は、その下流側から上流側に向けて順次に着脱かつ回転可能に接続される、第１のエルボ４１、略水平な連通管４２、第２のエルボ４３、略鉛直な伸縮管４４、第３のエルボ４５および略水平なシャワー管４６とより構成され、該シャワー管４６の外端は閉じられている。前記伸縮管４４は、外筒４４Ｏと内筒４４Ｉとが伸縮自在に嵌挿され、前記シャワー管４６には、その長手に間隔をあけて下向きに開口する複数の噴口４７が列設されている。また、第３のエルボ４５には、その流通路を流れる水の流量を無段に調整し得る円弧状の流量調整弁４８が、その上面より回転自在に嵌合されている。
【００２２】
水中ポンプＰの運転によれば、その吐出口３３より吐出される水は、前記送水管４０に送水され、そのシャワー４６の複数の噴口４７から水槽Ｖ内に噴出することができ、その際に、前記流量調整弁４８の回転制御により、その噴水流量を調節することができる。また、送水管４０は、水中ポンプＰの吐出口３３回りに回転することにより、濾過ケースｃに対する相対位置を自由に設定することができることから、送水管４０を水槽Ｖの内壁面に偏らせて配置して、これが邪魔にならないようにすることができ、また外観上の見栄えを良くすることができる。さらに伸縮管４４の伸縮調整によりシャワー管４６の上下位置を調節することができる。
【００２３】
つぎに、第１実施例の作用について説明する。
【００２４】
水中ポンプＰをセットした濾過ケースｃを図１に示すように、その濾過ケースｃを水槽Ｖ内に敷設される小石（大磯）上に設置する。ここで水中ポンプＰを駆動すれば、水槽Ｖ内の水は２系統に分流して濾過ケース内に吸引され濾過される。すなわち水槽Ｖ内の一部の水は、図２矢印Ａに示すように、ケース本体１の第１の吸水口すなわち上部吸水口５より未浄化室すなわち上流室２９に吸引され、密な濾材２６を通過して濾過された後、清浄室すなわち下流室３０に入り、水中ポンプＰに吸引される。また、水槽Ｖ内の他の一部の水は、図２矢印Ｂに示すように、底ケース２内の粗な濾材を構成する小石（大磯）を通過して濾過された後、小孔２０を通過して下流室３０内に入り、そこから水中ポンプＰに吸引される。水中ポンプＰから吐出される清浄水は、その吐出口３３から前記送水管４０へと送られ、その送水管４０のシャワー管４６の噴口４７よりシャワー状となって水槽Ｖ内に噴出され、これにより水槽Ｖ内の水を還流浄化することができる。
【００２５】
しかして、前述のように、水中ポンプＰの駆動により水槽Ｖ内の水を還流浄化する過程において、前記特許文献１に記載のものと同じく水槽Ｖ内の水は２系統に分流して流れ、その一方の流れは、流動抵抗の比較的大きい密な濾材２６を流れてその流速が比較的遅くなり、これにより密な濾材２６に好気性微生物の繁殖を促し（一般に濾材を流れる水の流速が速いと、そこに好気性微生物が繁殖しにくい）、この好気性微生物により、密な濾材２６に付着、堆積する残餌や糞などの有機物を分解して、その目詰まりを軽減すると共にその好気性微生物を観賞魚の生き餌として供することができる。一方、他方の水の流れは粗な濾材を構成する小石（大磯）７を抵抗少なく通過して濾過された後、下流室３０に至る。
【００２６】
下流室３０では、前述したように、前記一方の流れの水（矢印Ａ）と、他方の流れとの水（矢印Ｂ）とが合流して水中ポンプＰに吸引される。水中ポンプＰから吐出された清浄水は、矢印Ｃに示すように、前記送水管４０へと圧送され、該送水管４０のシャワー管４６の複数の噴出口４７よりシャワー状になって水槽Ｖ内に還流される。シャワー管４６より噴出される清浄水の流量は、前記流量調整弁４８の回転制御により調整される。また、送水管４０は水ポンプＰの吐出口３３回りに回動調節することにより、水槽Ｖ内の邪魔にならない位置に配置することができる。
【００２７】
ところで、濾過ケースｃの上面は、平坦に形成されており、しかもその上面には、従来のような水の噴出管が突出しておらず、しかもそこから直接水が噴出することがないので、濾過ケースｃにより、観賞魚を傷つけたり、水の吐出管３３内に小魚が侵入したりする心配がない。
【００２８】
つぎに、図６を参照して本発明の第２実施例について説明するに、図６は、濾過装置の要部縦断側面図であり、図中、前記第１実施例と同じ要素には同じ符号が付される。
【００２９】
この第２実施例は、濾過ケースｃを構成する、底ケース２を、複数すなわち第１、第２および第３の底ケース２（１），２（２），２（３）より構成する。これらの第１、第２および第３底ケース２（１），２（２），２（３）は、上下に積層して順次に着脱可能に結合され、それらの内部には、それぞれ異種の水の清浄要素が装填される。最上部すなわち、ケース本体１の下面に接続される第１の底ケース２（１）は、前記第１実施例の底ケース２に相当するものであり、それと略同じ構造に形成されており、すなわち底ケース本体２Ａの開口上面に、蓋板２Ｂを着脱可能に嵌着して構成され、この底ケース２内には、大磯などの小石７が装填されており、その第１の底ケース２（１）の底面外周に少なくとも一対の差込孔５０を形成（この点が前記第１実施例の底ケース２と相違）される。また、前記第２の底ケース２（２）も前記第１の底ケース２（１）と略同じに形成されるが、この第２の底ケース２（２）は、その上面外周に少なくとも一対のかぎ状差込舌片５１が、またその下面外周に少なくとも一対の差込孔５０が形成されており、この点が前記第１の底ケース２（１）と構造上相違している。そして、この第２の底ケース２（２）内には、たとえば、ＰＨ調整用のサンゴ砂が装填される。さらに、前記第３の底ケース２（３）は、前記第２の底ケース２（２）と同じに形成され、すなわち、その上面外周に少なくとも一対のかぎ状の差込舌片５１が、またその下面外周に少なくとも一対の差込孔５０が形成されている。そして、この第３の底ケース２（３）内には、たとえば、水の澄水、脱臭、脱色などの作用をなす活性炭５４が装填される。
【００３０】
図６に示すように、ケース本体１の下面に、第１の底ケース２（１）を積層して、その差込孔５０をケース本体１の差込舌片６に係合すれば、該第１の底ケース２はケース本体１の下面に着脱可能に結合される。また、第１の底ケース２（１）の下面に第２の底ケース２（２）を積層してその差込舌片５１を第１の底ケース２（１）の差込孔５０に係合すれば、該第２の底ケース２は第１の底ケース２の下面に着脱可能に固定される。同じように、第２の底ケース２（２）の下面に第３の底ケース２（３）を積層してその差込舌片５１を第２の底ケース２（２）の差込孔５０に係合すれば、該第３の底ケース２（３）は第２の底ケース２（２）の下面に着脱可能に結合される。
【００３１】
以上のように、ケース本体１の下面には、第１、第２および第３の底ケース２（１），２（２）および２（３）が順に積層して結合される。
【００３２】
つぎに、この第２実施例の作用について説明する。
【００３３】
水中ポンプＰを駆動すれば、前記第１実施例と同じく水槽Ｖ内の水は２系統に分流して濾過ケースｃ内に吸引され濾過される。すなわち水槽Ｖ内の一部の水は、図６矢印Ａ′に示すように、ケース本体１の第１の吸水口すなわち上部吸水口５より未浄化室すなわち上流室２９に吸引され、密な濾材２６を通過して濾過された後、清浄室すなわち下流室３０に入り、水中ポンプＰに吸引される。また、水槽Ｖ内の他の一部の水は、図６矢印Ｂ′に示すように、第３，２および１の底ケース２（３），２（２）および２（１）を順次に通過して小孔２０より下流室３０内に入り、そこから水中ポンプＰに吸引され、図６矢印Ｃ′に示すように送水管４０に圧送される。
【００３４】
ところで、第３の底ケース２（３）内に流入した水は、その内部の活性炭５４により澄水、脱臭、脱色などが行なわれ、ついで、第２の底ケース２（２）内に流入した水は、その内部のサンゴ砂５３によりＰＨの調整が行なわれ、さらに、第１の底ケース２（１）内に流入した水は、その内部の粗な濾材を構成する小石（大磯）７により濾過される。
【００３５】
下流室３０内で合流した、前記第１、第２の流れの、清浄化された水は、前記第１実施例と同じくその吐出口３３から前記送水管４０へと送られ、その送水管４０のシャワー管４６の噴口４７よりシャワー状となって水槽Ｖ内に噴出され、これにより水槽Ｖ内の水を還流浄化することができる。
【００３６】
しかして、前述のように、水中ポンプＰの駆動により、水槽Ｖ内の水を還流浄化する過程において、水槽Ｖ内の水は２系統に分流して流れ、その一方の流れは、流動抵抗の比較的大きい密な濾材２６を流れてその流速が比較的遅くなり、これにより密な濾材２６に好気性微生物の繁殖を促し（一般に濾材を流れる水の流速が速いと、そこに好気性微生物が繁殖しにくい）、この好気性微生物により、密な濾材２６に付着、堆積する残餌や糞などの有機物を分解して、その目詰まりを軽減すると共にその好気性微生物を観賞魚の生き餌として供することができる。一方、他方の水の流れは、活性炭５４、サンゴ砂５３および粗な濾材を構成する小石（大磯）７を抵抗少なく通過して前述のように浄化濾過された後、下流室３０に至る。
【００３７】
なお、第２実施例において、ケース本体１の下面に積層される複数の底ケース２の数は、２個、あるいは４個以上であってもよく、それらにそれぞれ収容される異種の水の浄化要素〔粗な濾材および重錘として機能する小石（大磯）を除く〕は、必要に応じて自由な選択が可能であり、たとえば、前記浄化要素の外に、麦飯石、コケ発生防止剤などが収容される。
【００３８】
しかして、この第２実施例では、第２の水の流れは、粗な濾材を構成する小石７の外、他の水の浄化要素を通過させることができるので、観賞魚の飼育、育成に一層適した水の清浄化が可能になる。また、複数の底ケース内にそれぞれ収容される異種の水の浄化要素を変えることにより、観賞魚を飼育、育成するのに最適な水質の水作りが可能になる。
【００３９】
以上、本発明の実施例について説明したが、本発明はその実施例に限定されることなく、本発明の範囲内で種々の実施例が可能である。
【００４０】
たとえば、前記第２実施例において、粗な濾材兼重錘を構成する小石を収容した底ケースは、ケース本体１の直下すなわち最上位に配置する代わりに積層される複数の底ケースの中間位部あるいは最下位に配置してもよい。
【００４１】
【発明の効果】
以上のように、請求項１記載の発明によれば、内部式濾過装置において、ケース本体の上面には、従来のような水の噴出管が突出することがないので、該噴出管により観賞魚を傷付けることがないばかりでなく濾過ケース全体の見栄えを良くすることができ、また濾過ケースを収容する梱包箱の容積を小さくすることができ、その輸送コストの低減を図ることができる。さらに送水管は、濾過ケースに対する配置の自由度を高めることができる濾過装置全体の水槽に対するレイアウトがし易くなる。
【００４２】
また、請求項２記載の発明によれば、内部式濾過装置において、水槽内の水の浄化機能を一層高めることができ、特に飼育、育成する観賞魚や水草の種類などに応じてそれらに最適な水質の水作りが容易になる。
【図面の簡単な説明】
【図１】内部式濾過装置を水槽にセットした場合の斜視図（第１実施例）
【図２】濾過装置の一部縦断（図３の２−２線に沿う）の全体側面図（第１実施例）
【図３】図２の３−３線に沿う断面図（第１実施例）
【図４】図２の４線矢視図（第１実施例）
【図５】濾過装置の分解斜視図（第１実施例）
【図６】濾過装置の要部縦断面図（第２実施例）
【符号の説明】
１・・・・・・・・・・・・ケース本体
２・・・・・・・・・・・・底ケース
２（１）・・・・・・・・・第１の底ケース
２（２）・・・・・・・・・第２の底ケース
２（３）・・・・・・・・・第３の底ケース
５・・・・・・・・・・・・第１の吸水口（第１の吸水口）
７・・・・・・・・・・・・小石（粗な濾材）
９・・・・・・・・・・・・第２の吸水口（第２の吸水口）
２０・・・・・・・・・・・小孔
２６・・・・・・・・・・・密な濾材
２９・・・・・・・・・・・上流室
３０・・・・・・・・・・・下流室
３３・・・・・・・・・・・吐出口
４０・・・・・・・・・・・送水管
４６・・・・・・・・・・・シャワー管
５３・・・・・・・・・・・水の浄化要素（サンゴ砂）
４７・・・・・・・・・・・噴口
Ｆｕ・・・・・・・・・・・上部濾過室
Ｆｄ・・・・・・・・・・・下部濾過室
Ｐ・・・・・・・・・・・・水中ポンプ
【図１】
2004230207.tif 000003
【図２】
2004230207.tif 000004
【図３】
2004230207.tif 000005
【図４】
2004230207.tif 000006
【図５】
2004230207.tif 000007
【図６】
2004230207.tif 000008